(57)【要約】【課題】隙間が形成されることなく、安定して設置でき、さらに運搬者の負担をも軽減できる仏壇を提供する。【解決手段】仏壇本体３と仏具収納箱５を有する仏壇１であって、仏壇本体３の天板６と仏具収納箱５の底板１３に沿って左右方向Ｙへスライド自在なコ字状の飾り棚１８を設け、飾り棚１８に、仏壇本体３の底板７と仏具収納箱５の天板１２との間で左右方向Ｙへスライド自在な中板２２を設け、仏壇１を設置する際に飾り棚１８を外方へ引き出して設置することにより、仏壇１の周囲に隙間が形成されず、仏壇１を密接して設置でき、仏壇を安定して設置することができる。また、仏壇１を運搬する際には、飾り棚１８が仏壇１に収納されて仏壇１のサイズが小さくされ、運搬者の仏壇１の接触に対する注意が軽減され、運搬者の負担を軽減することができる。【選択図】図２
2011101779.tif 000002
【特許請求の範囲】
【請求項１】
前面開口部を有する矩形状に形成された仏壇本体と、
前記仏壇本体の下方に設けられ、前面開口部を有する矩形状に形成された仏具収納箱とを有する仏壇であって、
前記仏壇本体の天板と前記仏具収納箱の底板に沿って左右方向へスライド自在なコ字状の外枠を設け、
前記外枠に、前記仏壇本体の底板と前記仏具収納箱の天板との間で左右方向へスライド自在な中板を設けたこと
を特徴とする仏壇。
【請求項２】
前記仏具収納箱の底板に、前記外枠の底板と等しい高さを有し、前記仏具収納箱の底板の下方より着脱自在な水平支持部を設けたこと
を特徴とする請求項１に記載の仏壇。
【請求項３】
前記外枠を左右一対に設けたこと
を特徴とする請求項１に記載の仏壇。
【請求項４】
前記仏壇本体の天板または底板または前記仏具収納箱の天板または底板の少なくとも一箇所に溝部あるいは突起部を形成し、
前記外枠の天板または中板または底板に溝部に案内される突起部あるいは突起部を案内する溝部を形成すること
を特徴とする請求項１〜請求項３のいずれかに記載の仏壇。
【請求項５】
前記仏壇本体の底板または前記仏具収納箱の底板に、前記仏壇本体の底板または前記仏具収納箱の底板に沿って前後方向へスライド可能な遮蔽板を設けたこと
を特徴とする請求項４に記載の仏壇。
【発明の詳細な説明】
【発明の詳細な説明】
【技術分野】
【０００１】  本発明は、例えばサイズ変更可能な仏壇に関し、特に仏壇の設置スペースに応じて仏壇本体の周囲に外枠を形成することでサイズ変更可能な仏壇に関するものである。
【背景技術】
【０００２】  従来の仏壇の一例が、特許文献１に開示されている。
特許文献１に開示されている仏壇は、天板、底板、左右一対の側板および背板から前面開口部を有する矩形状に形成された仏壇本体と、この仏壇本体の一方の側板の前面に蝶着された前記前面開口部を開閉する扉を有している。また従来、このような仏壇は、家屋に予め形成された壇の間、あるいは居住空間である家具や家屋の側壁の間に設置される。【０００３】
【先行技術文献】
【特許文献１】特開２００４−１１３７４２号公報
【発明の概要】
【発明が解決しようとする課題】
【０００４】  しかしながら、特許文献１に開示される仏壇では、前記壇の間に形成された仏壇の設置スペース、あるいは家具や家屋の側壁との間に形成された仏壇の設置スペースに前記仏壇を設置すると、前記設置スペースを満たすことなく設置されることがある。また予め仏壇の設置スペースに応じてオーダーメイドされた仏壇であっても、転居等により仏壇の移設が必要になると、移設先の設置スペースが仏壇のサイズとは合致しないことがあり、前記設置スペースを満たすことなく設置されることがある。そのため、壇の間に仏壇を設置する際には、仏壇と壇の間を形成する壁との間に、中途半端な隙間が形成され、また家具と家屋の側壁の間に仏壇を載置する際には、仏壇と家具との間に中途半端な隙間が形成され、仏壇の買換え、または家具のレイアウトを変更する等の手間が生じる恐れがある。【０００５】  さらには、仏壇の周囲に前記隙間が形成されると、例えば地震等の振動により、仏壇の設置位置がずれる恐れがあり、さらに振動が大きくなると、仏壇が転倒する恐れもある。
また仏壇を運搬する際に、例えば仏壇の購入元から仏壇の設置スペースに仏壇を運搬する際に、設置スペースに合致するサイズ（外観）の仏壇では、仏壇と運搬車両との接触による損壊、あるいは仏壇と家屋の壁および家具との接触による損壊に、仏壇の運搬者が注意しなければならず、仏壇の運搬者の負担が大きくなる恐れがある。【０００６】  そこで本発明は、中途半端な隙間が形成されることなく、安定して設置でき、また居住空間を整理（日常品を収納）できるとともに家具との調和をも図ることができ、さらには仏壇の運搬者の負担をも軽減できる仏壇を提供することを目的とする。
【課題を解決するための手段】
【０００７】  前述した目的を達成するために、本発明の請求項１に記載の発明は、前面開口部を有する矩形状に形成された仏壇本体と、前記仏壇本体の下方に設けられ、前面開口部を有する矩形状に形成された仏具収納箱とを有する仏壇であって、
前記仏壇本体の天板と前記仏具収納箱の底板に沿って左右方向へスライド自在なコ字状の外枠を設け、前記外枠に、前記仏壇本体の底板と前記仏具収納箱の天板との間で左右方向へスライド自在な中板を設けたことを特徴とするものである。【０００８】  上記構成によれば、仏壇本体の天板と仏具収納箱の底板に沿って左右方向へスライド自在なコ字状の外枠を設け、前記外枠に、前記仏壇本体の底板と仏具収納箱の天板との間で左右方向へスライド自在な中板を設け、仏壇を仏壇の設置スペースに設置する際に、外枠を仏壇本体から外方へ引き出して設置することにより、前記設置スペースに応じて仏壇のサイズが拡大され、仏壇の周囲に、例えば仏壇と壇の間を形成する壁との間に、または仏壇と家具および家屋の壁との間に隙間が形成されず、仏壇が壇の間を形成する壁または家具および家屋の壁と密接して設置される。【０００９】  また請求項２記載の発明は、上記請求項１に記載の発明であって、前記仏具収納箱の底板に、前記外枠の底板と等しい高さを有し、前記仏具収納箱の底板の下方より着脱自在な水平支持部を設けたことを特徴とするものである。
上記構成によれば、外枠の底板と等しい高さを有し、仏具収納箱の底板の下方より着脱自在な水平支持部を設けたことにより、仏壇を仏壇の設置スペースに設置する際に、仏具収納箱を下方より支持する外枠が仏壇本体から外方へ引き出されても、仏具収納箱の一方の底部が外枠により支持され、仏具収納箱の他方の底部が水平支持部により支持され、仏壇が安定して設置される。【００１０】  また請求項３記載の発明は、上記請求項１に記載の発明であって、前記外枠を左右一対に設けたことを特徴とするものである。
上記構成によれば、外枠を左右一対に設けたことにより、仏具収納箱を下方より支持する外枠が仏壇本体から外方へ引き出されても、仏具収納箱の一方の底部が一方の外枠により支持され、仏具収納箱の他方の底部が他方の外枠により支持され、仏壇が安定して設置されるとともに、仏壇の左右中心位置に仏壇本体が位置され、さらに外枠が一方へ引き出されるものと比較して、仏壇のサイズがより拡大される。【００１１】  また請求項４記載の発明は、上記請求項１〜請求項３のいずれか１項に記載の発明であって、前記仏壇本体の天板または底板または前記仏具収納箱の天板または底板の少なくとも一箇所に溝部あるいは突起部を形成し、前記外枠の天板または中板または底板に前記溝部に案内される突起部あるいは前記突起部を案内する溝部を形成することを特徴とするものである。【００１２】  上記構成によれば、突起部が溝部に案内されることにより、外枠が左右方向へスライドされるとともに、前記外枠が前記突起部を回転軸に、前後方向へ回動自在にされ、仏壇の後方に形成される隙間が削減される。【００１３】  また請求項５記載の発明は、上記請求項４に記載の発明であって、前記仏壇本体の底板または前記仏具収納箱の底板に、前記仏壇本体の底板または前記仏具収納箱の底板に沿って前後方向へスライド可能な遮蔽板を設けたことを特徴とするものである。
上記構成によれば、仏壇本体または仏具収納箱の底板にて動作される溝部および突起部が遮蔽板にて遮蔽されるとともに、仏壇本体の遮蔽板が前方へスライドされることにより、遮蔽板が仏具を設置する台として利用される。
【発明の効果】
【００１４】  本発明の仏壇によれば、仏壇を仏壇の設置スペースに設置する際に、外枠を仏壇本体から外方へ引き出して設置することにより、前記設置スペースに応じて仏壇のサイズが拡大され、仏壇の周囲に、例えば仏壇と壇の間を形成する壁との間に、または仏壇と家具および家屋の壁との間に隙間が形成されず、仏壇を壇の間を形成する壁または家具および家屋の壁と密接して設置でき、仏壇の買換え、または家具のレイアウトを変更する手間を無くすことができるとともに、仏壇を安定して設置することができる。
また、拡大された仏壇の外枠を、居住空間を整理（日常品を収納）するために利用できるとともに、仏壇に日常品が収納されることにより、家具との調和を図ることができる。さらには、仏壇を運搬する際に、外枠が仏壇に収納され、仏壇のサイズが設置スペースより小さくなるため、仏壇と運搬車両との接触、あるいは仏壇と家屋の壁および家具との接触に対する仏壇の運搬者の注意が軽減され、前記運搬者の負担を軽減することができる。
【図面の簡単な説明】
【００１５】
【図１】本発明の実施の形態１における仏壇（閉状態）の斜視図である。
【図２】同仏壇（開状態）の斜視図である。
【図３】同仏壇の要部斜視図である。
【図４】（ａ）は同仏壇の要部斜視図、（ｂ）は遮蔽板の斜視図である。
【図５】同仏壇の飾り棚の動作説明図である。
【図６】同仏壇の設置説明図であり、（ａ）は仏壇が置かれた状態を示し、（ｂ）は仏壇が設置された状態を示す。
【図７】本発明の実施の形態２における仏壇の動作説明図である。
【図８】同仏壇の設置説明図であり、（ａ）は仏壇が壇の間の奥側に設置された状態を示し、（ｂ）は仏壇が壇の間の前側に設置された状態を示す。
【図９】本発明の他の実施の形態における仏壇の要部斜視図である。
【発明を実施するための形態】
【実施例１】
【００１６】  以下に、本発明の実施例１を図面に基づいて説明する。
図１および図２に示すように、１は、開口部（前面開口部の一例）２を有する箱状（矩形状の一例）に形成された仏壇本体３と、仏壇本体３の下方に設けられ、開口部（前面開口部の一例）４を有する箱状（矩形状の一例）に形成された仏具収納箱５を有する仏壇である。以下、仏壇１の開口方向を前後方向Ｘとし、前後方向Ｘと直角な方向を左右方向Ｙとする。【００１７】  上記仏壇本体３は、天板６、底板７、左右一対の側板８および背板９から箱状に形成され、詳しくは、各側板８の上端が天板６を介して左右方向Ｙに連結され、各側板８の下端が底板７を介して左右方向Ｙに連結された枠体の一方の開口部を、背板９にて塞ぎ箱状に形成され、一方の側板８には蝶番１０を介して扉１１が開閉自在に取り付けられている。また上記仏具収納箱５は、天板１２、底板１３、左右一対の側板１４および背板１５から箱状（矩形状の一例であり、上記仏壇本体３の構成に同様）に形成されるとともに、各側板１４を左右方向Ｙに連結する分割板１６により上下に分割されている。なお、各天板６，１２、底板７，１３、左右一対の側板８，１４、背板９，１５および分割板１６は、適宜の方法にて固定されているものとし、例えば、ダボ（木製丸棒の一例）を介して、あるいは木ネジにて固定されている。【００１８】  また、仏壇本体３の底板７の一方（図視左方）の端部には、下方より支持板１７が適宜の方法にて固定されるとともに、仏具収納箱５の天板１２の一方（図視左方）の端部には、上方より支持板１７が適宜の方法にて固定され、仏壇本体３と仏具収納箱５が支持板１７を介して固定されている。【００１９】  また、仏壇本体３の天板６と仏具収納箱５の底板１３に沿って左右方向Ｙへスライド自在なコ字状の飾り棚（外枠の一例）１８が支持板１７に対して他方（図視右方）から設けられている。この飾り棚１８は、天板１９、底板２０および側板２１からコ字状に形成されるとともに、仏壇本体３の底板７と仏具収納箱５の天板１２との間で、飾り棚１８とともに左右方向Ｙへスライド自在な中板２２が設けられている。なお、天板１９、底板２０、側板２１および中板２２は、適宜の方法にて固定されているものとし、例えば、ダボ（木製丸棒の一例）を介して、あるいは木ネジにて固定されている。また、飾り棚１８に、後方より背板を設ける構成であってもよい。【００２０】  図３に示すように、仏具収納箱５の底板１３には、飾り棚１８の底板２０と等しい高さを有し、仏具収納箱５の底板１３の下方より着脱自在な水平支持台（水平支持部の一例）２４が設けられている。【００２１】  図４（ａ）に示すように、仏壇本体３の底板７には左右方向Ｙに沿って溝（溝部の一例）２５が形成され、飾り棚１８の中板２２には溝２５に案内される突起（突起部の一例）２６が形成されている。また、仏壇本体３の底板７には、仏壇本体３の底板７に沿って前後方向Ｘへスライド可能な遮蔽板（図４（ｂ）に示す）２７が設けられている。【００２２】  以下、実施例１における仏壇１の構成による作用を、仏壇１が家具と家具の間に設置される場合について説明する。
仏壇本体３の天板６と仏具収納箱５の底板１３に沿って左右方向Ｙへスライド自在なコ字状の飾り棚１８を設け、この飾り棚１８に、仏壇本体３の底板７と仏具収納箱５の天板１２との間で左右方向Ｙへスライド自在な中板２２を設け、仏壇１を仏壇１の設置スペース（図６を参照）Ａに設置する際に、飾り棚１８を仏壇本体３から外方へ引き出して設置することにより、設置スペースＡに応じて仏壇１のサイズが拡大され、仏壇１と家具との間に隙間（図６を参照）Ｂが形成されず、仏壇１が家具と密接して設置される。【００２３】  また飾り棚１８の底板２０と等しい高さを有し、仏具収納箱５の底板１３の下方より着脱自在な水平支持台２４を設けたことにより、仏壇１を仏壇１の設置スペースＡに設置する際に、仏具収納箱５を下方より支持する飾り棚１８が仏壇本体３から外方へ引き出されても、仏具収納箱５の底板１３の一方が飾り棚１８により支持され、仏具収納箱５の底板１３の他方が水平支持台２４により支持され、仏壇１が安定して設置される。【００２４】  また図５に示すように、突起２６が溝２５に案内されることにより、飾り棚１８が左右方向Ｙへスライドされるとともに、飾り棚１８が突起２６を回転中心（回転軸の一例）Ｃに、前後方向Ｘへ回動自在にされ、仏壇１と前後方向Ｘのずれを有する左右の家具との調和が図られるとともに、設置スペースＡの後方に形成される隙間が削減される。【００２５】  また仏壇本体３の底板７にて動作される突起２６が遮蔽板２７にて遮蔽されるとともに、仏壇本体３の遮蔽板２７が前方へスライドされることにより、遮蔽板２７が仏具を設置する台として利用される。【００２６】  以下、実施例１の仏壇１の設置作業について説明する。
まず仏壇１は、仏壇１の購入元から仏壇１の設置スペースＡまで、図１に示すように、飾り棚１８が仏壇本体３および仏具収納箱５に収納された（内側に押し込まれた）後、さらにダンボール等、適宜の梱包素材にて梱包されて、運搬車両により運搬される。【００２７】  次に、運搬車両から設置スペースＡに運搬される仏壇１は、設置スペースＡの直前にて梱包が開封され、図６（ａ）に示すように、仏壇１の支持板１７により固定された一方の側が、設置スペースＡの例えば一方の家具に密接して置かれた後、図６（ｂ）に示すように、飾り棚１８が、仏壇１の設置スペースＡに応じて（仏壇１と他方の家具との間の隙間Ｂに応じて）、他方の家具に密接する位置まで外方へ引き出される。【００２８】  なお、設置スペースＡを形成する左右の家具に前後方向Ｘのずれがある場合には、一方の家具に対して仏壇１の前後方向Ｘの位置を決定し、飾り棚１８を他方の家具に密接する位置まで外方へ引き出す際に、飾り棚１８を、突起２６を回転中心Ｃとして前後方向Ｘへ回動してもよい。また上記飾り棚１８が引き出された後、仏壇本体３から遮蔽板２７を取り外し、仏壇本体３の底板７と飾り棚１８の中板２２を、木ネジ等、適宜の方法にて固定してもよく、その後さらに、飾り棚１８の側板２１、仏壇本体３の側板８または仏具収納箱５の側板１４と家具を、木ネジまたは粘着テープ等の適宜の方法にて固定してもよい。【００２９】  以上のように実施例１によれば、仏壇１を仏壇１の設置スペースＡに設置する際に、飾り棚１８を仏壇本体３から外方へ引き出して設置することにより、前記設置スペースＡに応じて仏壇１のサイズが拡大され、仏壇１と家具との間に隙間Ｂが形成されず、仏壇１を家具と密接して設置でき、仏壇１の買換え、または家具のレイアウトを変更する手間を無くすことができるとともに、仏壇１を安定して設置することができる。【００３０】  また実施例１によれば、拡大された仏壇１の飾り棚１８を、居住空間を整理（日常品を収納）するために利用できるとともに、仏壇１に日常品が収納されることにより、家具との調和を図ることができる。さらには、仏壇１を運搬する際に、飾り棚１８が仏壇１に収納され、仏壇１のサイズが設置スペースＡより小さなものとなることにより、仏壇１と運搬車両との接触、あるいは仏壇１と家屋の壁および家具との接触に対する仏壇１の運搬者の注意を軽減でき、運搬者の負担を軽減することができる。【００３１】  また実施例１によれば、仏壇１を仏壇１の設置スペースＡに設置する際に、仏具収納箱５を下方より支持する飾り棚１８が仏壇本体３から外方へ引き出されても、仏具収納箱５の一方の底板１３が飾り棚１８により支持され、仏具収納箱５の他方の底板１３が水平支持台２４により支持されることにより、仏壇１を安定して設置できる。【００３２】  また実施例１によれば、飾り棚１８が左右方向Ｙへスライドされるとともに、飾り棚１８が突起２６を回転中心（回転軸の一例）Ｃに、前後方向Ｘへ回動自在にされることにより、仏壇１と前後方向Ｘのずれを有する左右の家具との調和を図ることができるとともに、設置スペースＡの後方に形成される隙間Ｂを削減することができる。【００３３】  また実施例１によれば、仏壇本���３の底板７にて動作される突起２６を遮蔽板２７にて遮蔽できるとともに、仏壇本体３の遮蔽板２７が前方へスライドされることにより、遮蔽板２７を仏具を設置する台として利用できる。
なお実施例１では、水平支持台２４を仏具収納箱５の底板１３に着脱自在な構成としているが、仏壇１の設置後は水平支持台２４を適宜の方法にて仏具収納箱５の底板１３に固定してもよい。
【実施例２】
【００３４】  以下に、本発明の実施例２を図面に基づいて説明する。
図７に示すように１´は、仏壇本体３と仏具収納箱５を有する仏壇である。また仏壇１´には、仏壇本体３の天板６と仏具収納箱５の底板１３に沿って左右方向Ｙへスライド自在なコ字状の飾り棚（外枠の一例）１８´が左右一対に設けられている。前記各飾り棚１８´は、天板１９´、底板２０´および側板２１´からコ字状に形成されるとともに、仏壇本体３の底板７と仏具収納箱５の天板１２との間で左右方向Ｙへスライド自在な中板２２´が設けられている。なお実施例１と異なる構成は、左右一対に飾り棚１８´が設けられている点と、支持板１７および水平支持台２４が省略された点である。【００３５】  以下、実施例２における仏壇１´の構成による作用を、仏壇１´が壇の間に設置される場合について説明する。
左右一対の飾り棚１８´を設け、各飾り棚１８´に中板２２´を設け、仏壇１´を仏壇１´の設置スペースＡに設置する際に、各飾り棚１８´を仏壇本体３から外方へ引き出して設置することにより、設置スペースＡに応じて仏壇１´のサイズが拡大され、仏壇１´と壇の間の壁との間に隙間Ｂが形成されず、仏壇１´が壇の間の壁と密接して設置される。【００３６】  また、飾り棚１８´を左右一対に設けたことにより、仏具収納箱５を下方より支持する飾り棚１８´が仏壇本体３から外方へ引き出されても、仏具収納箱５の一方の底板１３が一方の飾り棚１８´により支持され、仏具収納箱５の他方の底板１３が他方の飾り棚１８´により支持され、仏壇１´が安定して設置されるとともに、仏壇１´の左右中心位置に仏壇本体３が位置され、さらに各飾り棚１８´が左右両側へ引き出されることにより、飾り棚１８が一方へ引き出される上記実施の形態１における仏壇１と比較して、仏壇１´のサイズがより拡大される。【００３７】  また各飾り棚１８´が突起２６を回転中心Ｃに、前後方向Ｘへ回動自在にされ、壇の間の奥側に仏壇１´を設置する際には、図８（ａ）に示すように、壇の間の前側に形成される隙間Ｂに各飾り棚１８´が引き出され、壇の間の前側に仏壇１´を設置する際には、図８（ｂ）に示すように、壇の間の奥側に形成される隙間Ｂに各飾り棚１８´が引き出され、仏壇１´の設置スペースＡの周囲に形成される隙間Ｂが削減される。【００３８】  以下、実施例２の仏壇１´の設置作業について説明する。
まず仏壇１´は、仏壇１´の購入元から仏壇１´の設置スペースＡまで、各飾り棚１８´が仏壇本体３および仏具収納箱５に収納された（内側に押し込まれた）後、さらにダンボール等、適宜の梱包素材にて梱包されて、運搬車両により運搬される。【００３９】  次に、運搬車両から設置スペースＡに運搬される仏壇１´は、設置スペースＡの直前にて梱包が開封され、仏壇１´が壇の間の左右中心位置となるように前後方向Ｘの適宜の位置に置かれた後、各飾り棚１８´が、仏壇１´と壇の間の壁との間に形成される隙間Ｂに応じて、壇の間の壁に密接する位置まで外方へ引き出される。なお、各飾り棚１８´が引き出された後、仏壇本体３から遮蔽板２７を取り外し、仏壇本体３の底板７と各飾り棚１８´の中板２２´を、木ネジ等、適宜の方法にて固定してもよく、その後さらに、飾り棚１８´の側板２１´、仏壇本体３の側板８または仏具収納箱５の側板１４と壇の間の壁を、木ネジまたは粘着テープ等の適宜の方法にて固定してもよい。【００４０】  以上のように実施例２によれば、仏壇１´を仏壇１´の設置スペースＡに設置する際に、各飾り棚１８´を仏壇本体３から外方へ引き出して設置することにより、設置スペースＡに応じて仏壇１´のサイズを拡大でき、仏壇１´と壇の間の壁との間に隙間Ｂが形成されず、仏壇１´を壇の間の壁と密接して設置できる。【００４１】  また実施例２によれば、拡大された仏壇１´の各飾り棚１８´を、居住空間を整理（日常品を収納）するために利用できる。さらには、仏壇１´を運搬する際に、仏壇１´が設置スペースＡより小型なものとなることにより、仏壇１´と運搬車両との接触、あるいは仏壇１´と壇の間の壁との接触に対する仏壇１´の運搬者の注意を軽減でき、運搬者の負担を軽減することができる。【００４２】  また実施例２によれば、仏具収納箱５を下方より支持する飾り棚１８´が仏壇本体３から外方へ引き出されても、仏具収納箱５の一方の底板１３を一方の飾り棚１８´により支持でき、仏具収納箱５の他方の底板１３を他方の飾り棚１８´により支持でき、仏壇１´を安定して設置できるとともに、仏壇１´の左右中心位置に仏壇本体３を位置でき、さらに各飾り棚１８´が左右両側へ引き出されることにより、飾り棚１８が一方へ引き出される上記実施の形態１における仏壇１と比較して、仏壇１´のサイズをより拡大できる。【００４３】  また実施例２によれば、壇の間の奥側に仏壇１´を設置する際には、壇の間の前側に形成される隙間Ｂに各飾り棚１８´が引き出され、壇の間の前側に仏壇１´を設置する際には、壇の間の奥側に形成される隙間Ｂに各飾り棚１８´が引き出され、仏壇１´の設置スペースＡの周囲に形成される隙間Ｂを削減することができる。【００４４】  なお実施例１，２では、溝２５を仏壇本体３の底板７に形成し、突起２６を飾り棚１８の中板２２に形成する構成としているが、図９に示すように、溝２５´を仏具収納箱５の天板１２に形成し、溝２５´に案内される突起２６´を仏壇本体３の底板７に形成する構成としてもよく、実施例１，２と同様の効果が得られる。また実施例１，２では、仏壇本体３の底板７に溝２５を形成し、飾り棚１８の中板２２に溝２５に案内される突起２６を形成する構成としているが、仏壇本体３の��板６と飾り棚１８の天板１９、仏壇本体３の底板７と飾り棚１８の中板２２、仏具収納箱５の天板１２と飾り棚１８の中板２２または仏具収納箱５の底板１３と飾り棚１８の底板２０の組み合わせの内少なくとも１つに、溝と前記溝に案内される突起を形成する構成としてもよく、実施例１，２と同様の効果が得られる。
【符号の説明】
【００４５】    Ａ        設置スペース
Ｂ        隙間
Ｃ        回転中心
Ｘ        前後方向
Ｙ        左右方向
１，１´      仏壇
３        仏壇本体
５        仏具収納箱
６        天板
７        底板
１２      天板
１３      底板
１７      支持板
１８，１８´  飾り棚
１９，１９´  天板
２０，２０´  底板
２１，２１´    側板
２２，２２´  中板
２４      水平支持台
２５，２５´  溝
２６，２６´  突起
２７      遮蔽板
【図１】
2011101779.tif 000003
【図２】
2011101779.tif 000004
【図３】
2011101779.tif 000005
【図４】
2011101779.tif 000006
【図５】
2011101779.tif 000007
【図６】
2011101779.tif 000008
【図７】
2011101779.tif 000009
【図８】
2011101779.tif 000010
【図９】
2011101779.tif 000011